(57)【要約】      （修正有）【課題】ページメモリ部におけるハードウェアリソースの状況に応じて、中間階調値の補正処理制御を切り替えることができる画像形成装置およびその画像処理方法を提供する。【解決手段】画像形成装置１が電源を押下されて起動する時、または所定枚数（例えば１０００枚等）の用紙印刷を行った後、最大階調値の補正処理が行われる。最大階調値の補正動作終了後、制御部１０は、ページメモリ部１３のハードウェアリソースを確認する。「時間優先モード」か「画質優先モード」かによって、モードに合わせた処理を行う。ユーザが「画質優先モード」を設定している場合、制御部１０は、ページメモリ部１３のハードウェアリソースが確保されるまで印刷あるいはＦＡＸ送受信の処理を待つ。ユーザが「時間優先モード」を設定している場合、印刷あるいはＦＡＸ送受信の処理を待たない。よって階調補正は最大階調値のみで、中間階調値の補正処理は行わない。【選択図】図３
2009230138.tif 000002
【特許請求の範囲】
【請求項１】
画像の階調補正を行う画像形成装置において、
テストパターンの濃度情報を取得する濃度情報取得部と、
前記濃度情報取得部で取得した、前記テストパターンの濃度情報が基準濃度の所定範囲内となるように最大階調値の補正処理及び中間階調値の補正処理の少なくとも何れか一方の補正処理を行う階調補正処理部と、
画像データをページ単位で一時的に記憶し、少なくとも外部から入力した前記画像データを印刷するときには、そのハードウェアリソースに優先的に前記画像データを記憶するページメモリ部と、
を有し、
前記階調補正処理部は、
前記ページメモリ部のハードウェアリソースに空きがある場合、前記最大階調値の補正処理および前記中間階調値の補正処理の両方を行い、前記ページメモリ部のハードウェアリソースに空きがない場合、少なくとも前記最大階調値の補正を行う、
ことを特徴とする画像形成装置。
【請求項２】
前記テストパターンは複数の階調を有する階調テストパターンであり、
前記階調補正処理部は、
前記ページメモリ部のハードウェアリソースに一時的に記憶させた前記階調テストパターンを像担持体に印刷し、前記濃度情報取得部で取得した前記像担持体上の前記階調テストパターンの濃度が、基準階調濃度の所定範囲になるように中間階調値の補正を行う
ことを特徴とする請求項１記載の画像形成装置。
【請求項３】
前記ページメモリ部のハードウェアリソースに空きがない場合、前記階調補正処理部は、前記ハードウェアリソースの空きが確保されるまで、前記中間階調値の補正処理を待機する、
ことを特徴とする請求項１記載の画像形成装置。
【請求項４】
前記テストパターンは最大濃度に対応する濃度テストパターンであり、
前記階調補正処理部で行う最大階調値の補正は、前記濃度テストパターンを用い、
前記濃度情報取得部で取得した前記濃度テストパターンの濃度が基準濃度の所定範囲になるように最大階調特性の補正を行う
ことを特徴とする請求項１記載の画像形成装置。
【請求項５】
画像の階調補正を行う画像処理方法において、
テストパターンの濃度情報を取得し、
前記濃度情報取得部で取得した、前記テストパターンの濃度情報が基準濃度の所定範囲内となるように最大階調値の補正処理及び中間階調値の補正処理の少なくとも何れか一方の補正処理を行い、
画像データをページ単位で一時的に記憶し、少なくとも外部から入力した前記画像データを印刷するときには、そのハードウェアリソースに優先的に前記画像データを記憶し、
前記ページメモリ部のハードウェアリソースに空きがある場合、前記最大階調値の補正処理および前記中間階調値の補正処理の両方を行い、前記ページメモリ部のハードウェアリソースに空きがない場合、少なくとも前記最大階調値の補正を行う、
ことを特徴とする画像処理方法。
【発明の詳細な説明】
【技術分野】
【０００１】
本発明は、階調特性を推定する画像形成装置およびその画像処理方法に関する。
【背景技術】
【０００２】
デジタルカラー複合機やカラープリンタ等に組み込まれている画像形成装置では、温度等の周囲環境の変化や、使用時間の経過によって印刷画像の濃度が変化することがある。
【０００３】
そこで、従来の画像形成装置では、感光体や転写ベルト等の像担持体上に、所定の濃度テストパターンを形成し、この濃度テストパターンの濃度が所定の基準範囲内となるように濃度調整を行っているものが多い。通常、濃度調整で用いる濃度テストパターンは、いわゆるベタ又はベタ相当のパターンであり、濃度テストパターンの階調値として最大乃至最大近くの階調値が設定される。例えば、像担持体上に形成した濃度テストパターンの濃度を濃度センサ等で検出し、検出した濃度が基準濃度（最大階調値）に近づくよう、感光体の帯電電位、現像電位、露光量等の調整を行う。従って、濃度調整では、画像データの最大階調値が適正な印刷濃度になるように調整される。
【０００４】
また画像形成装置では、装置があらかじめ保存している階調パッチパターンを用いて階調補正テーブルを作成し、この階調補正テーブルを用いて階調補正を行うものもある。階調パッチパターンは、所定の枠内に縦線やドットを複数印字したパターンを、低い濃度から高い濃度まで濃度が変化するように（縦線の太さや間隔、或いはドットの大きさや間隔を変化させて）、所定の濃度間隔でパターンを並べたものである。
【０００５】
濃度テストパターンが最大階調値の補正に用いられるのに対し、階調パッチパターンから作成される階調補正テーブルは、低い濃度から高い濃度までの補正テーブルであるので、中間階調値の補正に用いられる。
【０００６】
例えば、階調パッチパターンを一度用紙に印刷し、読取部で読み取らせる。読み取った階調パッチパターンの濃度が、あらかじめ保持している、基準となる階調濃度の所定範囲となるよう、階調補正テーブルを変更し、更新する。
【０００７】
または、転写ベルト等の像担体上に形成した階調パッチパターンの濃度を濃度センサで検出し、検出した階調毎の濃度があらかじめ保存されている基準階調濃度の所定範囲となるよう、階調補正テーブルを変更し、更新する。
【０００８】
ところで、階調パッチパターンはハーフトーンスクリーンから作成するが、その時ページメモリ部に階調パッチパターンを一時的に記憶する。よって、中間階調値の補正を行う際には、ページメモリ部のハードウェアリソースの確保が必要である。
【０００９】
特許文献１では、複数の階調補正テーブルを作成することにより、画像形成装置の使用状態が経時的に変化しても、常に適切に階調表現された画像を作る技術が開示されている。
【先行技術文献】
【特許文献】
【００１０】
【特許文献１】特開平８−２８６４４２号公報
【発明の概要】
【発明が解決しようとする課題】
【００１１】
ページメモリ部は、印刷やＦＡＸ送受信の動作においても、ハードウェアリソースが使用される。ページメモリ部は、ハードウェアリソースの容量が用紙１〜２枚分程度であり、非常に少ない。よって、印刷あるいはＦＡＸ送受信動作を行っている時に、中間階調値の補正処理を行おうとすると、ページメモリ部のハードウェアリソースが画像データで占有されているため、補正処理を同時に行うことができない。
【００１２】
本発明はこのような点に鑑みてなされたもので、ページメモリ部におけるハードウェアリソースの状況に応じて、中間階調値の補正処理制御を切り替えることができる画像形成装置およびその画像処理方法を提供することを目的とする。
【課題を解決するための手段】
【００１３】
本発明に係る画像形成装置は、画像の階調補正を行う画像形成装置において、テストパターンの濃度情報を取得する濃度情報取得部と、前記濃度情報取得部で取得した、前記テストパターンの濃度情報が基準濃度の所定範囲内となるように最大階調値の補正処理及び中間階調値の補正処理の少なくとも何れか一方の補正処理を行う階調補正処理部と、画像データをページ単位で一時的に記憶し、少なくとも外部から入力した前記画像データを印刷するときには、そのハードウェアリソースに優先的に前記画像データを記憶するページメモリ部と、を有し、前記階調補正処理部は、前記ページメモリ部のハードウェアリソースに空きがある場合、前記最大階調値の補正処理および前記中間階調値の補正処理の両方を行い、前記ページメモリ部のハードウェアリソースに空きがない場合、少なくとも前記最大階調値の補正を行う、ことを特徴とする。
【００１４】
本発明に係る画像処理方法は、画像の階調補正を行う画像処理方法において、テストパターンの濃度情報を取得し、前記濃度情報取得部で取得した、前記テストパターンの濃度情報が基準濃度の所定範囲内となるように最大階調値の補正処理及び中間階調値の補正処理の少なくとも何れか一方の補正処理を行い、画像データをページ単位で一時的に記憶し、少なくとも外部から入力した前記画像データを印刷するときには、そのハードウェアリソースに優先的に前記画像データを記憶し、前記ページメモリ部のハードウェアリソースに空きがある場合、前記最大階調値の補正処理および前記中間階調値の補正処理の両方を行い、前記ページメモリ部のハードウェアリソースに空きがない場合、少なくとも前記最大階調値の補正を行う、ことを特徴とする。
【発明の効果】
【００１５】
本発明に係る画像形成装置およびその画像処理方法によれば、ページメモリ部におけるハードウェアリソースの状況に応じて、中間階調値の補正処理制御を切り替えることができる
【図面の簡単な説明】
【００１６】
【図１】本発明の一実施形態に係る画像形成装置の概略構成を示すブロック図。
【図２】同上の実施形態に係る画像形成部の内部構成例を示す模式的な断面図。
【図３】同上の実施形態に係るプリンタ系画像処理部の詳細構成を示すブロック図。
【図４】同上の実施形態に係るプリンタ系画像処理部の、最大階調値補正時の詳細構成を示すブロック図。
【図５】同上の実施形態に係るプリンタ系画像処理部の、最大階調値補正時の動作を示すフローチャート。
【図６】同上の実施形態に係るプリンタ系画像処理部の、中間階調値補正時の詳細構成を示すブロック図。
【図７】同上の実施形態に係るプリンタ系画像処理部の、ページメモリ部のハードウェアリソースが確保できない場合の中間階調値補正時の詳細構成を示すブロック図。
【図８】同上の実施形態に係るプリンタ系画像処理部の、中間階調値補正時の動作を示すフローチャート。
【図９】（Ａ）は同上の実施形態における濃度調整の概念図、（Ｂ）は同上の実施形態における階調特性補正の概念図。
【図１０】同上の実施形態における階調特性補正の階調補正テーブルを示す図。
【発明を実施するための形態】
【００１７】
以下、本発明の実施形態を添付図面に基づいて説明する。
【００１８】
図１は、本発明の一実施形態である画像形成装置１、例えば、デジタルＭＦＰ（Digital Multi-Function Peripheral）のシステム構成例を示す図である。この画像形成装置１は、デジタルカラー複合機として機能するもので、例えば、コピー機能、プリンタ機能、スキャナー機能、ＦＡＸ機能、ストレージ機能等が実現される。
【００１９】
画像形成装置１は、読取部１１、スキャナー系画像処理部２１、プリンタ系画像処理部２２、ページメモリ部１３、画像記録部１４を備え、これらの構成によってコピー機能を実現している。
【００２０】
読取部１１は、原稿を３ラインＣＣＤセンサで光学的に読み取り、赤（Ｒ）、緑（Ｇ）、青（Ｂ）のカラーデジタル画像信号に変換する。
【００２１】
スキャナー系画像処理部２１は、主走査方向の信号レベルの不均一性を補正するシェーディング補正や、空間フィルタリング処理等の各種画像処理を行う。また、コピー機能として動作する場合には、Ｒ，Ｇ，Ｂの三原色から例えばシアン（Ｃ）、マゼンタ（Ｍ）、イエロー（Ｙ）、ブラック（Ｋ）の色信号に変換してページメモリ部１３へ出力する一方、スキャナー機能として動作する場合には、Ｒ，Ｇ，Ｂの３原色としてページメモリ部１３へ出力する。
【００２２】
ページメモリ部１３は、スキャナー系画像処理部２１で出力した画像信号について、例えばページ単位で一時的に記憶し、再度プリンタ系画像処理部２２へ出力する。また、プリンタコントローラ部１６あるいはＦＡＸコントローラ部１７から出力される画像データをハードウェアリソースに一時的に記憶する。
【００２３】
プリンタ系画像処理部２２は、ページメモリ部１３から出力される画像信号に対して、階調補正を行い、印刷のための画像処理を行い、画像記録部１４に出力する。詳細については後述する。
【００２４】
画像記録部１４は、例えば電子写真方式で記録紙に画像を印刷する構成品であり、露光装置、感光ドラム、現像装置等（いずれも図示せず）等を備えて構成されるものである。
【００２５】
また画像形成装置１は、ストレージ部１５、プリンタコントローラ部１６、ＦＡＸコントローラ部１７、電子データ作成部１８、外部Ｉ／Ｆ部１９、を備えている。これらの構成品は、画像形成装置１をストレージ機能、プリンタ機能、ＦＡＸ機能、スキャナー機能等として動作させる場合に用いられるものである。
【００２６】
ストレージ部１５は、例えばＨＤＤ（Hard Disk Drive）で構成されるものであり、読取部１１で読み取った画像信号や外部のパーソナルコンピュータ等から入力した画像信号を記憶する。ストレージ部１５に記憶された画像信号は必要に応じて読み出され、画像記録部１４で印刷し、或いは、スキャンデータとして外部に出力することができる。
【００２７】
電子データ作成部１８は、画像形成装置１をスキャナー機能として動作させる際に、画像信号を所定のデータフォーマットに変換しスキャンデータを生成する。生成されたスキャンデータは、外部Ｉ／Ｆ部１９を介して外部に出力される。
【００２８】
ＦＡＸコントローラ部１７は、画像形成装置１をＦＡＸ機能として動作させるものである。読取部１１で読み取られた画像信号をＦＡＸ用のデータフォーマットに変換し、外部Ｉ／Ｆ部１９を介して外部の電話回線に出力する。また、電話回線から入力されるＦＡＸデータを画像信号に変換して、画像記録部１４で印刷を行うことができる。
【００２９】
プリンタコントローラ部１６は、画像形成装置１をプリンタ機能として動作させる際にプリント機能に必要となる各種制御や各種処理を行う。制御部１０は、画像形成装置１の全体に係る制御を行っている。
【００３０】
図２は、主に画像形成部１４の内部構成例を示す模式的な断面図である。本実施形態に係る画像形成装置１は、いわゆるタンデム型の電子写真方式によってカラー印刷が可能な構成になっている。
【００３１】
画像形成部１４は、転写ベルト（像担持体）５００、濃度センサ部（濃度情報取得部）５２０、給紙部５３０、記録紙転写部５４０、定着部５５０、排紙部５６０を備えて構成されている。
【００３２】
また、イエロー（Ｙ）、マゼンタ（Ｍ）、シアン（Ｃ）、ブラック（Ｋ）の４色に対応する４つの感光体ドラム（感光体）５１０ａ〜５１０ｄが転写ベルト５００の搬送方向に沿って並列に配設されている。各感光体ドラム５１０の周囲には、帯電部５１１ａ〜５１１ｄ、現像部５１２ａ〜５１２ｄ、転写ローラ５１３ａ〜５１３ｄ、クリーナー５１４ａ〜５１４ｄ等が回転の上流から下流に向けて順にそれぞれ配設されている。また、感光体ドラム５１０ａ〜５１０ｄに対してレーザ光を照射する露光部５１５ａ〜５１５ｄが色毎に設けられている。ここで、上記各構成品の参照番号に付したａ、ｂ、ｃ、及びｄの各英文字は、印刷色のＹ、Ｍ、Ｃ、及びＫに各々対応している。
【００３３】
感光体ドラム５１０ａ〜５１０ｄの表面は、帯電部５１１ａ〜５１１ｄによって所定の電位に帯電され、露光部５１５ａ〜５１５ｄから照射される光、例えばレーザ光によって静電潜像がその表面に形成される。静電潜像は、現像部５１２ａ〜５１２ｄから供給されるトナーによって現像され、感光体ドラム５１０ａ〜５１０ｄの表面には各トナー色に応じた現像画像が形成される。
【００３４】
感光体ドラム５１０ａ〜５１０ｄに形成された現像画像は、Ｙ，Ｍ，Ｃ，Ｋの順に転写ベルト５００の上に重ねて転写され、Ｋ用の感光体ドラム５１０ｄを通り過ぎた時点で４ 色が合成されたフルカラーのトナー画像が転写ベルト５００の上に形成される。ただし、階調パッチパターンを用いて階調補正を行う動作においては、階調パッチパターンはシアン（Ｃ）、マゼンタ（Ｍ）、イエロー（Ｙ）、ブラック（Ｋ）のそれぞれ単色で転写され、色毎に計４回行われる。
【００３５】
転写ベルト５００の最も下流側（感光体ドラム５１０ｄの下流側）には、転写ベルト５００上に転写されたトナー画像の濃度を検出するための濃度センサ部５２０が配置される。
【００３６】
転写ベルト５００の上のトナー画像は、記録紙転写部５４０において、給紙部５３０から供給される記録紙に転写される。記録紙に転写されたトナー画像は、定着部５５０において記録紙に定着され、排紙部５６０から外部に排紙される。
【００３７】
転写ベルト５００への転写が終わった各感光体ドラム５１０ａ〜５１０ｄでは、クリーナー５１４ａ〜５１４ｄによって表面に残留しているトナーが除去され、次の用紙の印刷に備える。以上の処理を繰り返すことにより、連続したフルカラー印刷を行うことができる。
【００３８】
濃度テストパターン６００は、濃度調整を行う際に用いる、最大階調値に対応するいわゆるベタパターンである。濃度調整を行うときは、濃度テストパターン６００を読み出して転写ベルト５００に濃度テストパターンのトナー画像を形成する。これらの濃度テストパターンの濃度は濃度センサ５２０で検出される。
【００３９】
次に、プリンタ系画像処理部２２の詳細構成について、図３を参照して説明する。
【００４０】
濃度調整部２３１は、画像形成部１４内の濃度センサ５２０で検出した濃度と基準濃度とを比較判定し、検出濃度が基準濃度（基準最大階調値）に近づくよう、帯電電位、現像電位、露光量等の調整を行って補正する。
【００４１】
階調補正テーブル作成部２２１は、画像信号の階調特性を補正するための階調補正テーブルを作成し、階調補正テーブル記憶部２２２に格納する。
【００４２】
階調調整部２３２は、画像形成部１４内の濃度センサ５２０、または読取部１１で読み取った、階調パッチパターンにおける階調毎の濃度が、事前に取得し保存されている基準階調濃度の所定範囲内となるように、画像の階調特性を、階調補正テーブル記憶部２２２に格納されている階調補正テーブルを用いて変更し、更新する。
【００４３】
濃度調整部２３１と階調調整部２３２を合わせて、階調補正処理部２２６とする。ここで、濃度調整および階調調整について、図９を参照して説明する。
【００４４】
最大階調での濃度調整は、出力された濃度について、図９（Ａ）に示すように、最大階調に対応する濃度が基準濃度に合致するように行う。図９（Ａ）の例において、横軸は8ビットで階調を表現する場合の0から255の範囲の階調となっており、最大の255階調に対応する濃度が１に合致するように調整している。
【００４５】
図９（Ｂ）は、階調特性補正の概念図である。設定階調値（入力画像信号の階調値）と印刷した画像の階調値（濃度）が１対１の線形関係であれば、画像信号の階調を補正する必要が無いが、実際は図９の破線で示すように非線形である。そのため、図９の直線に示すような、設定階調値に対する印刷画像の階調（濃度）が１対１になる、あるいは近づけるよう補正する。例えば、図１０に示す階調補正テーブルを用いて設定階調値を補正する。
【００４６】
図１０の下方の太線で示す曲線が階調補正テーブルを示す図である。階調補正テーブルの特性の形状は、設定階調値と印刷された画像信号の濃度（補正前）の関係を示す特性と線対称である。このような形状の階調補正テーブルを用いることにより、設定階調値と印刷濃度との関係が線形になるように補正することができる。
【００４７】
ディザ処理部２２７は、階調調整部２３２で補正された階調特性に対応する、ハーフトーンスクリーン記憶部２４０に格納されているハーフトーンスクリーンを選択し、画像の処理を行う。
【００４８】
テストパターン２３０は、あらかじめプリンタ系画像処理部２２に保存している、濃度毎の画素レベル値（数値）を示したものである。
【００４９】
＜最大階調値の補正＞
次に、上記構成における、最大階調値の補正処理について、図４、５を参照して説明する。
【００５０】
最大階調値の補正の起動タイミングは、例えば画像形成装置１が電源を押下されて起動する時（ステップＳ１０１）、または所定枚数（例えば１０００枚等）の用紙印刷を行った後（ステップＳ１０３）に行われる。画像形成部１４内の濃度センサ５２０は濃度テストパターン６００の濃度を検出する（ステップＳ１０５）。この濃度テストパターン６００はベタパターンである。次に、濃度センサ５２０は、検出した濃度を濃度調整部２３１に送る（ステップＳ１０７）。濃度調整部２３１は、ステップＳ１０７で送られた濃度と、あらかじめ有している基準濃度（基準最大階調値）とを比較判定し、帯電電位、現像電位、露光量等の調整を行って濃度の最大階調値を補正する（ステップＳ１０９）。
【００５１】
最大階調値の補正は、ページメモリ部１３を使用しないので、ページメモリ部１３が印刷あるいはＦＡＸ送受信における画像データで占有されていても、最高階調値の補正を行うことができる。
【００５２】
＜中間階調値の補正処理の制御＞
次に、上記構成における、中間階調値の補正処理制御の動作について、図６、７、８を参照して説明する。
【００５３】
最大階調値の補正動作終了後、制御部１０は、ページメモリ部１３のハードウェアリソースを確認する。ページメモリ部１３のハードウェアリソースが、印刷あるいはＦＡＸ送受信動作における画像データで占有されておらず、ハードウェアリソースが確保可能な場合（図８のステップＳ２０１で「Ｙｅｓ」）、制御部１０は、中間階調値の補正処理を行う（図６）。
【００５４】
制御部１０は、プリンタ系画像処理部２２内のテストパターン２３０を読み出し、ディザ処理部２２７で、ハーフトーンスクリーン記憶部２４０に格納されている該当するハーフトーンスクリーンを適用して階調パッチパターンＸを形成する（ステップＳ２０３）。この時に、ページメモリ部１３のハードウェアリソースに一時的に記憶させる（図６に「階調パッチパターン」として示す）。画像形成部１４は、この階調パッチパターンＸを転写ベルト５００に転写する。濃度センサ５２０は階調パッチパターンＸの濃度データを取得する（ステップＳ２０５）。
【００５５】
画像形成部１４は、取得した階調パッチパターンＸの濃度データを、同じ画像形成装置１の階調補正テーブル作成部２２１に送信する。階調補正テーブル作成部２２１は、階調パッチパターンＸの濃度に基づいて階調特性を補正するための階調補正テーブルを作成し、階調補正テーブル記憶部２２２に格納する（ステップＳ２０７）。
【００５６】
次に階調調整部２３２は、階調パッチパターンＸの階調毎の濃度が、事前に取得し保存されている基準階調濃度の所定範囲内となるように、階調パッチパターンＸの階調特性を、ステップＳ２０７で階調補正テーブル記憶部２２２に格納した階調補正テーブルを用いて変更し、更新する（ステップＳ２０９）。
【００５７】
＜ハードウェアリソースの確保が不可能な場合＞
図７において、ページメモリ部１３のハードウェアリソースが、印刷あるいはＦＡＸ送受信動作における画像データで先に占有されており（図７に「印刷画像データ」「ＦＡＸ送受信画像データ」で示す）、ハードウェアリソースが直ぐには確保不可能な場合（図８のステップＳ２０１で「Ｎｏ」）、制御部１０は、ユーザが画像形成装置１の操作部（図示しない）であらかじめ指定した、「時間優先モード」か「画質優先モード」か（ステップＳ２５０）によって、モードに合わせた処理を行う。
【００５８】
ユーザが「画質優先モード」を設定している場合（ステップＳ２５０で「画質優先」）、制御部１０は、ページメモリ部１３のハードウェアリソースが確保されるまで印刷あるいはＦＡＸ送受信の処理終了を待つ（ステップＳ２５２）。印刷あるいはＦＡＸ送受信の処理が終わり、ページメモリ部１３のハードウェアリソースが確保できたら（ステップＳ２５４で「Ｙｅｓ」）、ステップＳ２０３の処理に進む。
【００５９】
ユーザが「時間優先モード」を設定している場合（ステップＳ２５０で「時間優先」）、印刷あるいはＦＡＸ送受信の処理を待たないため、階調補正は最大階調値のみで、中間階調値の補正処理は行わない。よって処理を終了する。
【００６０】
つまり、ページメモリ部１３のハードウェアリソースが確保できない場合は、印刷あるいはＦＡＸ送受信処理が終了するまで中間階調値の補正処理を待つか、あるいは中間階調値の補正処理を行わないかのいずれかを行う。
【００６１】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００６２】
１…画像形成装置、１０…制御部、１１…読取部、１３…ページメモリ部、１４…画像形成部、１５…ストレージ部、１６…プリンタコントローラ部、１７…ＦＡＸコントローラ部、１８…電子データ作成部、２１…スキャナー系画像処理部、２２…プリンタ系画像処理部、５２０…濃度センサ、２２１…階調補正テーブル作成部、２２２…階調補正テーブル記憶部、２４０…ハーフトーンスクリーン記憶部、２２６…階調補正処理部、２２７…ディザ処理部、２３０…テストパターン、２３１…濃度調整部、２３２…階調補正部、６００…濃度テストパターン。
【図１】
2009230138.tif 000003
【図２】
2009230138.tif 000004
【図３】
2009230138.tif 000005
【図４】
2009230138.tif 000006
【図５】
2009230138.tif 000007
【図６】
2009230138.tif 000008
【図７】
2009230138.tif 000009
【図８】
2009230138.tif 000010
【図９】
2009230138.tif 000011
【図１０】
2009230138.tif 000012